(57)【要約】【課題】従来の巻取器と構造及び部品を大きく換えることなく、通電可能とされた巻取器とそれを備えた安全帯の提供。【解決手段】安全帯３０は、ベルト３２と、連結具４０と、巻取器４２と、フック４４とを備えている。巻取器４２では、主軸は、フレームに対して回転可能にされている。巻取ベルト８４と主軸とは、通電可能にされている。渦巻ばねの一端は、主軸に取り付けられている。渦巻ばねと主軸とは、通電可能にされている。渦巻ばねは、主軸を巻取ベルト８４が巻き取られる回転向きに付勢している。渦巻ばねは、フレームに接触している。渦巻ばねとフレームとは、通電可能にされている。ベルト３２と連結具４０とは、連結されて通電可能にされている。連結具４０とフレームとは、連結されて通電可能にされている。フック４４と巻取ベルト８４とは、連結されて通電可能にされている。【選択図】図１
2010240325.tif 000002
【特許請求の範囲】
【請求項１】
導電性繊維が織り込まれたベルトと、導体からなる連結具と、巻取器と、導体からなるフックとを備えており、
この巻取器が導体からなるフレームと、導電性繊維が織り込まれた巻取ベルトと、導体からなる渦巻ばねと、導体からなる主軸とを備えており、
この主軸がフレームに対して回転可能にされており、
この主軸が一方の向きに回転して巻取ベルトが繰り出されるようにされており、
この主軸が他方の向きに回転して巻取ベルトが巻き取られるようにされており、
この巻取ベルトと主軸とが通電可能にされており、
この渦巻ばねの一端が主軸に取り付けられて、渦巻ばねと主軸とが通電可能にされており、
この渦巻ばねが主軸を巻取ベルトが巻き取られる回転向きに付勢しており、
この渦巻ばねがフレームに接触して渦巻ばねとフレームとが通電可能にされており、
このベルトと連結具とが連結されて通電可能にされており、
この連結具とフレームとが連結されて通電可能にされており、
このフックと巻取ベルトとが連結されて通電可能にされている安全帯。
【請求項２】
上記巻取器が軸受、ボビン及び導体からなるピンを備えており、
上記主軸がフレームに軸受を介して保持されており、
このボビンが主軸に取り付けられており、
このボビンが導体からなる一対の鍔を備えて鍔と主軸とが通電可能にされており、
このボビンが主軸と一体に回転可能にされており、
このピンが一対の鍔に架け渡されて鍔とピンとが通電可能にされており、
この巻取ベルトが一方の鍔と他方の鍔との間でボビンに巻き取られており、
この巻取ベルトがピンに接触して巻取ベルトとピンとが通電可能にされている請求項１に記載の安全帯。
【請求項３】
導体からなるフレームと、導電性繊維が織り込まれた巻取ベルトと、導体からなる渦巻ばねと、導体からなる主軸とを備えており、
この主軸がフレームに対して回転可能にされており、
この主軸が一方の向きに回転して巻取ベルトが繰り出されるようにされており、
この主軸が他方の向きに回転して巻取ベルトが巻き取られるようにされており、
この巻取ベルトと主軸とが通電可能にされており、
この渦巻ばねの一端が主軸に取り付けられて、渦巻ばねと主軸とが通電可能にされており、
この渦巻ばねが主軸を巻取ベルトが巻き取られる回転向きに付勢しており、
この渦巻ばねがフレームに接触して渦巻ばねとフレームとが通電可能にされている巻取器。
【請求項４】
上記軸受、ボビン及び導体からなるピンを備えており、
上記主軸がフレームに軸受を介して保持されており、
このボビンが主軸に取り付けられており、
このボビンが導体からなる一対の鍔を備えて鍔と主軸とが通電可能にされており、
このボビンが主軸と一体に回転可能にされており、
このピンが一対の鍔に架け渡されて鍔とピンとが通電可能にされており、
この巻取ベルトが一方の鍔と他方の鍔との間でボビンに巻き取られており、
この巻取ベルトがピンに接触して巻取ベルトとピンとが通電可能にされている請求項３に記載の巻取器。
【発明の詳細な説明】
【技術分野】
【０００１】
本発明は、高所作業に使用される安全帯に関する。詳細には、本発明は、導電型巻取器と、その巻取器を備えた導電型安全帯に関する。
【背景技術】
【０００２】
高所作業現場では、転落事故が発生する恐れがある。このような転落事故を防止するため、高所作業現場の作業者は安全帯を装着している。高所作業が、可燃性気体や火薬等可燃物を扱う場所でされることがある。例えば、石油精製所及び石油中継所では、タンクローリー車のタンクの上で注油作業が行われる。このような可燃物を取り扱う高所作業では、静電気対策がされた安全帯が装着される。このような転落事故防止及び静電気対策がされた安全帯が、特開２００４−９７５６２号公報に記載されている。
【０００３】
図７は、タンクローリー車のタンク上での墜落防止装置２の使用状態が示された側面図である。高所作業現場においては、作業者は転落事故を防止するため墜落防止装置２を使用している。この墜落防止装置２は、構造物に固定されたレール４と、レール４に案内されつつ移動可能にされたローラ部６と、ローラ部に吊り下げられた巻取器８と、巻取器８に巻かれた命綱１０とを備えている。この命綱１０に、作業者の安全帯１２が連結されている。
【０００４】
図７の安全帯１２を装着した作業者は、タンク上を移動する。安全帯１２を装着しているので、万一足を滑らせても転落が防止されている。この墜落防止装置２により、作業者は安全に作業できる。このローラ部６は、レール４に移動可能に保持されている。作業者は、レール４の延びる方向に沿って移動可能とされている。この巻取器８は、命綱１０を繰り出し及び巻き取り可能にされている。作業者は、巻取器８の位置を中心にして、命綱１０が繰り出される範囲で移動可能とされている。この墜落防止装置２では、作業者の移動に伴う命綱１０の付け替え作業がない。この墜落防止装置２により、作業者は効率的に作業できる。
【０００５】
この墜落防止装置２では、レール４、ローラ６及び巻取器８の主要部は、金属製である。命綱１０及びベルト１２に、導電性繊維が織り込まれている。この墜落防止装置２では、作業者の静電気は、作業服１４から安全帯１２へ通電されている。安全帯１２に通電された静電気は、命綱１０、巻取器８、ローラ６、レール４に順に通電されている。これにより、静電気による放電の発生が抑制されている。この墜落防止装置２は、静電気に起因する火災事故が抑制されている。この墜落防止装置２では、レール４、ローラ６及び巻取器８を備えることにより、静電気対策がされて比較的広い範囲の移動作業が可能とされている。この墜落防止装置２では、レール４、ローラ６及び巻取器８が予め設置されている必要がある。
【０００６】
図８は、転落事故防止及び静電気対策がされた他の安全帯１６の正面図である。この安全帯１６は、ベルト１８、バックル２０、Ｄ環止め２２、Ｄ環２４、ロープ２６及びフック２８を備えている。このバックル２０、Ｄ環止め２２、Ｄ環２４及びフック２８は、銅合金製である。ベルト１８及びロープ２６は、導電性繊維が織り込まれている。この安全帯１６のフック２８が、構造物に係止される。作業者の静電気は、ベルト１８、Ｄ環止め２２、Ｄ環２４、ロープ２６、フック２８に順に通電される。作業者の静電気は、構造物に通電されている。これにより、静電気による放電の発生が抑制されている。この安全帯１６では、図７の墜落防止装置２のレール４、ローラ６及び巻取器８を備える必要がない。この安全帯１６は、広く一般の高所作業に用いられる。この安全帯１６では、作業者は、このロープ２６の延びる範囲で移動可能とされる。
【先行技術文献】
【特許文献】
【０００７】
【特許文献１】特開２００４−９７５６２号公報
【非特許文献】
【０００８】
【非特許文献１】藤井電工株式会社発行のカタログNo.339「SAFETY & EFFICIENCY」                    第１６頁   製品注文番号 BEA-S590
【発明の概要】
【発明が解決しようとする課題】
【０００９】
この安全帯１６では、このロープ２６を長くすると、ロープが弛んだ状態で作業がされる。他の作業者や資材等がこのロープ２６に引っ掛かる恐れがある。長いロープ２６は、万一落下したときの落下距離が長くなる。一方で、ロープ２６を短くすると、作業者の移動範囲が狭くなる。構造物へのフック２８の掛け替え作業が増える。フック２８の掛け替え作業は、作業効率を低下させる。フックの掛け替え作業は、高所作業の危険性を増大させる。
【００１０】
フック２８の掛け替え作業無しに移動範囲を広げる方法として、巻取器を備えた安全帯を用いる方法がある。この安全帯では、巻取器は安全帯に取り付けられている。この巻取器は、巻取ベルトを備えている。ここでいう巻取ベルトとは、巻取器に繰り出し及び巻き取り可能とされたベルトをいう。このような巻取器は、携帯のため軽量化されている。このため、樹脂部品が多用されている。樹脂部品を多用された巻取器は、通電可能とされていない。この巻取器を備えた安全帯は、構造物に係止するフックと腰に巻かれるベルトとの間で通電可能とされていない。また、この巻取器の内部では、巻取ベルトの巻き取りや繰り出しに伴って、巻取ベルトの重なり合った部分同士の摩擦が生じる。この摩擦によって生じる静電気が、巻取ベルトを通じて作業者に帯電することがある。
【００１１】
本発明の目的は、従来の巻取器と構造及び部品を大きく換えることなく、通電可能とされた巻取器とそれを備えた安全帯の提供にある。
【課題を解決するための手段】
【００１２】
本発明に係る安全帯は、導電性繊維が織り込まれたベルトと、導体からなる連結具と、巻取器と、導体からなるフックとを備えている。この巻取器が導体からなるフレームと、導電性繊維が織り込まれた巻取ベルトと、導体からなる渦巻ばねと、導体からなる主軸とを備えている。この主軸は、フレームに対して回転可能にされている。この主軸は、一方の向きに回転して巻取ベルトが繰り出されるようにされている。この主軸は、他方の向きに回転して巻取ベルトが巻き取られるようにされている。この巻取ベルトと主軸とは、通電可能にされている。この渦巻ばねの一端が主軸に取り付けられて、渦巻ばねと主軸とが通電可能にされている。この渦巻ばねは、主軸を巻取ベルトが巻き取られる回転向きに付勢している。この渦巻ばねがフレームに接触して、渦巻ばねとフレームとが通電可能にされている。このベルトと連結具とは、連結されて通電可能にされている。この連結具とフレームとは、連結されて通電可能にされている。このフックと巻取ベルトとは、連結されて通電可能にされている。
【００１３】
好ましくは、安全帯の巻取器は、軸受、ボビン及び導体からなるピンを備えている。上記主軸は、フレームに軸受を介して保持されている。このボビンは、主軸に取り付けられている。このボビンが導体からなる一対の鍔を備えて鍔と主軸とが通電可能にされている。このボビンは、主軸と一体に回転可能にされている。このピンが一対の鍔に架け渡されて、鍔とピンとは通電可能にされている。この巻取ベルトは、一方の鍔と他方の鍔との間でボビンに巻き取られている。この巻取ベルトがピンに接触して、巻取ベルトとピンとは通電可能にされている。
【００１４】
本発明に係る巻取器は、導体からなるフレームと、導電性繊維が織り込まれた巻取ベルトと、導体からなる渦巻ばねと、導体からなる主軸とを備えている。この主軸は、フレームに対して回転可能にされている。この主軸は、一方の向きに回転して巻取ベルトが繰り出されるようにされている。この主軸は、他方の向きに回転して巻取ベルトが巻き取られるようにされている。この巻取ベルトと主軸とは、通電可能にされている。この渦巻ばねの一端が主軸に取り付けられて、渦巻ばねと主軸とは、通電可能にされている。この渦巻ばねは、主軸を巻取ベルトが巻き取られる回転向きに付勢している。この渦巻ばねがフレームに接触して、渦巻ばねとフレームとは通電可能にされている。
【００１５】
好ましくは、この巻取器は、軸受、ボビン及び導体からなるピンを備えている。上記主軸は、フレームに軸受を介して保持されている。このボビンは、主軸に取り付けられている。このボビンは、導体からなる一対の鍔を備えている。この鍔と主軸とは、通電可能にされている。このボビンは、主軸と一体に回転可能にされている。このピンが一対の鍔に架け渡されて、鍔とピンとは通電可能にされている。この巻取ベルトは、一方の鍔と他方の鍔との間でボビンに巻き取られている。この巻取ベルトがピンに接触して、巻取ベルトとピンとは通電可能にされている。
【発明の効果】
【００１６】
本発明に係る安全帯では、ベルトから巻取器を介してフックまでが通電している。これにより、作業者の帯電が抑制される。この巻取器は、従来の巻取器と、構造及び部品を大きく換えることなく通電可能にされている。
【図面の簡単な説明】
【００１７】
【図１】図１は、本発明の一実施形態に係る安全帯が示された正面図である。
【図２】図２は、図１の矢印IIで示された安全帯の部分矢視図である。
【図３】図３は、図２の安全帯の一部が示された拡大断面図である。
【図４】図４は、図２の安全帯の他の一部が示された拡大断面図である。
【図５】図５は、図１の安全帯の巻取器の一部が示された分解斜視図である。
【図６】図６は、図１の安全帯の巻取器の他の一部が示された分解図である。
【図７】図７は、従来の墜落防止装置の使用状態が示された概念図である。
【図８】図８は、従来の他の安全帯が示された正面図である。
【発明を実施するための形態】
【００１８】
以下、適宜図面が参照されつつ、好ましい実施形態に基づいて本発明が詳細に説明される。
【００１９】
図１に示された安全帯３０は、ベルト３２、バックル３４、連結環３６、ショックアブソーバー３８、連結具４０、巻取器４２及びフック４４を備えている。説明の便宜上、図１の左右方向が、この安全帯３０の前後方向であり、図１の左向きが安全帯３０の前方向きである。図１の上下方向が、この安全帯３０の左右方向である。紙面に垂直な方向が、安全帯３０の上下方向である。
【００２０】
ベルト３２の形状は、長尺の帯状である。このベルト３２は、合成繊維と導電性繊維とからなる。この合成繊維としては、例えばポリエステル、ポリアミド又はアラミドが用いられる。この合成繊維には、導電性繊維が織り込まれている。導電性繊維は、金属、カーボンなど導電性材料で出来た繊維、又はこれらを一部に使用して出来た繊維で、帯電防止性能を有する繊維である。
【００２１】
バックル３４は、ベルト３２の前端に取り付けられている。バックル３４は、ベルト３２の後端部と係止可能にされている。このバックル３４の材質は、導体であることが望ましい。この安全帯３０では、バックル３４は、金属製であり、銅合金からなる。
【００２２】
図２は、図１の矢印IIの向きに見られた、連結環３６、ショックアブソーバー３８、連結具４０及び巻取器４２とがベルト３２の一部と共に示された底面図である。図３には、図２の連結環３６及びショックアブソーバー３８の拡大断面図が示されている。図３は、ベルト３２の長手方向に沿った断面が示されている。連結環３６は、２つの長孔４６を備えている。連結環３６は、ベルト３２のほぼ中央に取り付けられている。ベルト３２は、連結環３６の２つの長孔４６を縫うように通されている。この連結環３６は、導体である金属からなる。この安全帯３０では、連結環３６は、銅合金からなる。
【００２３】
ショックアブソーバー３８は、第一ベルト４８、第二ベルト５０、一対の摩耗防止布５２及びカバー５４を備えている。第一ベルト４８の両端部は、それぞれ摩耗防止布５２に覆われている。第一ベルト４８の後端部は、後方の摩耗防止布５２で覆われている。第一ベルト４８の後端部と後方の摩耗防止布５２とは、縫製されている。第一ベルト４８の前端部は、前方の摩耗防止布５２で覆われている。第一ベルト４８の前端部と前方の摩耗防止布５２とは、縫製されている。
【００２４】
第一ベルト４８は、長尺の帯状である。この第一ベルト４８は、合成繊維と導電性繊維とからなる。この合成繊維としては、例えばポリエステル、ポリアミド又はアラミドが用いられる。この合成繊維に、導電性繊維が織り込まれている。第二ベルト５０は、長尺の帯状である。第二ベルト５０は、第一ベルト４８と同様の合成繊維からなる。この第一ベルト４８及び第二ベルト５０の中間部は折り畳まれた状態で接着されている。この第一ベルト４８及び第二ベルト５０の折り畳まれた中間部は、カバー５４により覆われている。
【００２５】
摩耗防止布５２は、導電性繊維からなる。第一ベルト４８の後端部は、連結環３６の一方の長孔４６に通されて折り返されている。後方の摩耗防止布５２は、連結環３６に接触させられている。第二ベルト５０の後端部は、第一ベルト４８の後端部に挟み込まれている。
【００２６】
図４には、図２のショックアブソーバー３８の一部、連結具４０及び巻取器４２の一部の拡大断面図が示されている。図４は、ベルト３２の長手方向に沿った断面が示されている。この連結具４０は、本体５８及び連結ピン６０を備えている。本体５８は、長尺の平板状の金属からなる。本体５８の長尺の両端が曲げられて、Ｕ字状にされている。連結ピン６０は、丸棒状の金属からなる。本体５８の両端に連結ピン６０が架け渡されている。この安全帯３０では、本体５８及び連結ピン６０は銅合金からなる。本体５８と連結ピン６０とは、通電可能に接触している。連結具４０の本体５８には、第一ベルト４８の前端部が巻かれて折り返されている。折り返された第一ベルト４８の前端部は、第二ベルト５０の前端部を挟み込んでいる。
【００２７】
巻取器４２は、フレーム６２、軸受６４、主軸６６、主軸カラー６８、ボビン７０、渦巻ばね７２、ばねケース７４、爪軸７６、爪７８、爪受ギア８０、段付きリベット８２、巻取ベルト８４及び樹脂ケース８６を備えている。
【００２８】
図５は、この巻取器４２の一部が示された分解斜視図である。フレーム６２に、図４の樹脂ケース８６が固定されている。このフレーム６２は、金属板を略Ｕ字状に折り曲げた形状である。このフレーム６２は、第一プレート８８、第二プレート９０及び連結部９２を備えている。第一プレート８８と第二プレート９０とは、その平面が互いに平行に対向している。第一プレート８８及び第二プレート９０に、主軸孔９４が形成されている。第一プレート８８と第二プレート９０とは、連結部９２を介して一体である。連結部９２は、略Ｕ字状に折り曲げられている。
【００２９】
軸受６４は、筒状の本体とその本体に軸方向一方端に形成された鍔とからなる。軸受６４は、樹脂からなる。この樹脂として、ポリアセタールが例示される。この軸受６４は、フレーム６２の主軸孔９４に通され固定されている。
【００３０】
主軸６６は、軸本体９６及び段付きブッシュ９８を備えている。軸本体９６及び段付きブッシュ９８は、金属からなる。この巻取器４２では、軸本体９６及び段付きブッシュ９８は、鉄鋼からなる。軸本体９６の先端が第一プレート８８に固定された軸受６４に通されている。軸本体９６の後端には、軸線方向に平行な溝９９が形成されている。段付きブッシュ９８の外形は、大径部と小径部との段付き円筒形状である。段付きブッシュ９８に、その軸線を通る貫通孔が形成されている。この貫通孔に、軸本体９６の先端が通されている。段付きブッシュ９８の小径部が、第二プレート９０に固定された軸受６４に通されている。これにより、主軸６６は、フレーム６２に、軸受６４を介して回転可能に取り付けられている。この主軸６６は、主軸カラー６８に通されている。主軸カラー６８は、軸受６４と同様に、ポリアセタールからなる。
【００３１】
ボビン７０は、ボビン本体１００及び一対の鍔１０２を備えている。ボビン本体１００及び鍔１０２は、金属からなる。このボビン本体１００及び鍔１０２は、鉄鋼からなる。ボビン本体１００の形状は、筒状の側面を軸方向に切り欠いた形状である。鍔１０２の形状は、円板状である。一方の鍔１０２は、ボビン本体１００の軸方向の一方端に固定されている。他方の鍔１０２は、ボビン本体１００の軸方向の他方端に固定されている。ボビン本体１００は、一対の鍔１０２の間に位置している。鍔１０２には、回止孔１０３が形成されている。この回止孔１０３は、主軸６６が通されて回止される。鍔の１０２の回止孔１０３と主軸６６とが接している。これにより、ボビン７０と主軸６６とが一体に回転可能とされている。このボビン本体１００は、クッションゴム１０４が取り付けられている。クッションゴム１０４の形状は、筒状の側面を軸方向に切り欠いた形状である。ボビン本体１００に、クッションゴム１０４が被せられている。ボビン本体１００とクッションゴム１０４との切り欠かれた部分は、円周方向の位置が一致させられている。ボビン本体１００には、主軸カラー６８及び主軸６６が通されている。ボビン７０は、フレーム６２の第一プレート８８と第二プレート９０との間に位置している。
【００３２】
爪軸７６は、一対の鍔１０２に架け渡される一のピンである。爪軸７６は、一対の鍔１０２に架け渡されて固定されている。この爪軸７６は、金属からなる。爪軸７６は鉄鋼からなる。爪７８は、フレーム６２の第二プレート９０とボビン７０との間に位置している。爪７８の一端部が、爪軸７６に取り付けられている。爪７８は、爪軸７６に対して回動可能にされている。爪７８の他端部には、コイルばね１０６の一端が取り付けられている。コイルばね１０６の他端は、鍔１０２に取り付けられている。これにより、主軸６６を回転軸に回転したときに、爪７８の他端部が外径方向に回動すると、コイルばね１０６により内径向きに引き戻す力が働くようにされている。
【００３３】
爪受ギア８０は、フレーム６２の第二プレート９０とボビン７０との間に位置している。この爪受ギア８０は、主軸６６の軸方向において爪７８と同じ位置に位置している。爪受ギア８０は、第二プレート９０のボビン７０に対向する側面に固定されている。爪受ギア８０は、第二プレート９０の平面に平行にリベットにより鋲着されている。爪受けギア８０は、金属製の板からなる。爪受けギア８０は、中央に穴１０８を備えている。この穴１０８には、爪７８と係合可能に複数の係合部１１０を備えている。
【００３４】
渦巻ばね７２は、ばねケース７４に収められている。渦巻ばね７２の外径端は、このばねケース７４に固定されている。渦巻ばね７２は、金属からなる。この渦巻ばね７２は、ステンレス鋼からなる。ばねケース７４は、樹脂からなる。このばねケース７４が、第一プレート８８に着脱可能に取り付けられている。このばねケース７４が、フレーム６２に取り付けられることにより、渦巻ばね７２がフレーム６２の第一プレート８８の外側面に接して位置している。この外側面は、ボビン７０に対向する側面の反対側の側面である。渦巻ばね７２の内径端は、主軸６６の後端の溝９９に係止させられている。
【００３５】
段付きリベット８２は、一対の鍔１０２に架け渡される他のピンである。段付きリベット８２は、一対の鍔１０２に架け渡されて固定されている。段付きリベット８２の一端は、一方の鍔１０２に固定されている。段付きリベット８２の他端は、他方の鍔１０２に固定されている。この段付きリベット８２は、金属からなる。段付きリベット８２は鉄鋼からなる。
【００３６】
図６には、巻取ベルト８４が、巻取器４２に巻き取られた状態が示されている。図６の２点鎖線は、鍔１０２の外径を示している。巻取ベルト８４の長手方向に垂直な断面の形状は、長方形である。巻取ベルト８４は、合成繊維と導電性繊維とからなる。この合成繊維としては、例えばポリエステル、ポリアミド又はアラミドが用いられる。この合成繊維に、導電性繊維が織り込まれている。
【００３７】
この巻取ベルト８４の後端部１１２が主軸カラーに巻かれて折り返されている。この折り返された後端部１１２と主部１１４とが重ね合わされている。この後端部１１２と主部１１４は、ボビン本体１００とクッションゴム１０４の切り欠かれた部分から径方向外側に引き出されている。後端部１１２と主部１１４は、爪軸７６に沿って折り返されて、クッションゴム１０４の周りに巻かれている。巻取ベルト８４の後端部１１２がクッションゴム１０４に接して巻かれている。クッションゴム１０４に巻かれた巻取ベルト８４は、段付きリベット８２により、径方向内向きに押し付けられている。この段付きリベット８２により、巻取ベルト８４の後端部１１２と主部１１４の後端部側の一部が、ボビン本体１００に巻かれた状態が保たれている。
【００３８】
図１に示されるように、この巻取ベルト８４の先端には、摩耗防止布１１６に覆われている。この摩耗防止布１１６は、ショックアブソーバー３８の摩耗防止布５２と同じ材質のものが用いられている。
【００３９】
フック４４は、フック本体１１８、外れ止め１２０及び安全装置１２２を備えている。フック本体１１８の形状は、鉤型である。フック本体１１８は、摩耗防止布１１６と連結されている。フック本体１１８の開口には、外れ止め１２０が回動可能に取り付けられている。この外れ止め１２０が反時計回りに回動して、フック本体１１８の開口が開かれる。外れ止め１２０が時計回りに回動して、フック本体１１８の開口が閉じられる。図示されない外れ止めばねにより、フック本体１１８に対して外れ止め１２０がフック本体１１８の開口を塞ぐように付勢されている。フック本体１１８は、金属からなる。このフック４４では、フック本体１１８は、銅合金からなる。
【００４０】
この安全帯３０のベルト３２が、作業服を着た作業者の腰に巻かれる。このベルト３２と作業服とが接している。このベルト３２の後端が、バックル３４に通されて係止される。このバックル３４と作業服とが接している。バックル３４とベルト３２とが通電可能とされている。外れ止め１２０と安全装置１２２とが握られた状態で、フック本体１１８が構造物に係止される。作業者がフック４４から手を離すことにより、外れ止め１２０が回動して、フック本体１１８の開口を塞ぐ。これにより、フック４４が、構造物から外れない様にされている。
【００４１】
このベルト３２と連結環３６とが接している。これにより、ベルト３２と連結環３６とが通電可能にされている。連結環３６とショックアブソーバー３８の後方の摩耗防止布５２とが接している。連結環３６とショックアブソーバー３８とが通電可能にされている。ショックアブソーバ３８の前方の摩耗防止布５２が連結具４０に接している。これにより、ショックアブソーバ３８と連結具４０とが通電可能にされている。この連結具４０と巻取器４２のフレーム６２が接している。これにより、連結具４０とフレーム６２とが通電可能とされている。なお、安全帯３０は、ショックアブソーバー３８を備えなくてもよい。その場合、ベルト３２に連結具４０が取り付けられる。ベルト３２と連結具４０とが通電可能とされる。
【００４２】
このフレーム６２の第一プレート８８と渦巻ばね７２とが、接している。フレーム６２と渦巻ばね７２とが通電可能とされている。この渦巻ばね７２の内径端が、主軸６６の溝９９に係止されて、通電可能とされている。この主軸６６とボビン７０の回止孔１０３とが接して、主軸６６とボビン７０とが通電可能とされている。ボビン７０の一対の鍔１０２に、ピンとしての爪軸７６が接している。ボビン７０と爪軸７６とが通電している。
【００４３】
図６に示されるように、爪軸７６は巻取ベルト８４と接している。爪軸７６と巻取ベルト８４とが通電可能とされている。図１に示されるように、巻取ベルト８４は、摩耗防止布１１６と接している。巻取ベルト８４と摩耗防止布１１６とが通電可能とされている。摩耗防止布１１６とフック４４とが接している。摩耗防止布１１６とフック４４とが通電可能とされている。また、この巻取器４２では、もう一方のピンとしての段付きリベット８２が、ボビン７０の一対の鍔１０２に接している。ボビン７０と段付きリベット８２とが通電している。段付きリベット８２は巻取ベルト８４と接している。段付きリベット８２と巻取ベルト８４とが通電可能とされている。
【００４４】
作業者がフック４４から離れる向きに移動すると、巻取器４２から、巻取ベルト８４が繰り出される。作業者がフック４４に近づく向きに移動すると、渦巻ばね７２により巻取ベルト８４が巻き取られる。この巻取器４２は、巻取ベルト８４の弛みの発生が抑制されている。この安全帯３０を装着した作業者は、この巻取ベルト８４が繰り出される範囲で移動可能とされている。
【００４５】
万一、作業者が高所から落下すると、巻取ベルト８４が急速に繰り出される。これにより、ボビン７０が急速に回転させられる。ボビン７０の急速な回転により、爪７８の他端部がコイルばね１０６の付勢力に抗して、径方向外側に回動させされる。この爪７８が爪受ギア８０の係合部１１０に係合する。ボビンの回転が阻止される。巻取ベルト８４の繰り出しが阻止される。これにより、作業者の落下距離が最小限にされている。
【００４６】
作業者が作業中に帯電することがある。この巻取器４２は、フレーム６２から巻取ベルト８４及び摩耗防止布１１６まで通電可能とされている。この安全帯３０は、ベルト３２からフック４４まで通電可能とされている。これにより、作業者の静電気が構造物に通電する。これにより、作業者に静電気が帯電することが抑制されている。作業者に帯電した静電気が放電する際のショックが軽減されている。また、静電気の放電による火花の発生が抑制されている。この火花が可燃物に着火することによる爆発事故が抑制されている。
【００４７】
一般に、巻取器４２では、巻き取られた状態から巻取ベルト８４が繰り出されると、剥離帯電が発生する。この巻取器４２の巻取ベルト８４は、通電可能とされている。これにより、剥離帯電が抑制されている。この巻取器４２は、巻取ベルト８４の巻き戻し及び繰り出しを繰り返しても、剥離帯電が抑制されている。この安全帯３０では、フック本体１１８が銅合金からなる。これにより、構造物に衝突した際に発生する火花が抑制されている。この観点から、フック本体１１８は、アルミ合金であってもよい。
【００４８】
渦巻ばね７２は、渦巻ばね７２の外径端がばねケース７４に係止されて、ばねケース７４に収容されているので、渦巻ばね７２の取り付け取り外しが容易になっている。ばねケース７４をフレーム６２に取り付け取り外しすることで、渦巻ばね７２の取り付け取り外しが可能とされている。一方で、この渦巻ばね７２は、フレーム６２と接するように配置されることにより、確実に渦巻ばね７２とフレーム６２との間の通電が可能とされている。渦巻ばね７２の内径端が主軸６６の溝９９に係止されることにより、確実に渦巻ばね７２と主軸６６との間の通電が可能とされている。
【００４９】
万一、作業者が落下した場合の巻取器４２では、フレーム６２、爪受けギア８０、爪７８、爪軸７６及び主軸６６が、大きな力を受ける。これらの部品は、強度を必要とされる。この巻取器４２では、巻取ベルト８４が最大限引き出されると、巻取ベルト８４の引き出しを止めるために段付きリベット８２が大きな力を受ける。段付きリベット８２は、強度を必要とされる。このため、巻取器４２では、フレーム６２、爪受けギア８０、爪７８、主軸６６及び段付きリベット８２の材質は金属が好ましい。この巻取器４２では、渦巻ばね７２を介して主軸６６とフレームとが通電可能にされている。これにより、金属が機能的に好ましいフレーム６２と、主軸６６と、爪軸７６及び段付きリベット８２とを通電経路としている。この巻取器４２は、更に、鍔１０２の材質を金属製とすることにより、通電可能としている。この巻取器４２では、通電可能とするための特別な部品を必要としない。
【００５０】
この巻取器４２では、軸受６４が樹脂からなる。主軸６６は、スムーズに回転可能に支持される。この巻取器４２は、樹脂部品が多用されており軽量である。この巻取器４２は、従来の巻取器の部品が流用可能とされている。これにより、導電型である巻取器４２を製作するための設計変更は、最小限にされている。耐久試験等の性能試験を再度実施することが抑制される。この巻取器４２は、低コストで製作可能とされている。
【符号の説明】
【００５１】
３０・・・安全帯
３２・・・ベルト
３４・・・バックル
３６・・・連結環
３８・・・ショックアブソーバー
４０・・・連結具
４２・・・巻取器
４４・・・フック
４８・・・第一ベルト
５０・・・第二ベルト
５２・・・摩耗防止布
５８・・・本体
６０・・・連結ピン
６２・・・フレーム
６４・・・軸受
６６・・・主軸
７０・・・ボビン
７２・・・渦巻ばね
７４・・・ばねケース
７６・・・爪軸
８２・・・段付きリベット
８４・・・巻取ベルト
８８・・・第一プレート
９０・・・第二プレート
９２・・・連結部
１０２・・・鍔
１１４・・・主部
１１６・・・摩耗防止布
【図１】
2010240325.tif 000003
【図２】
2010240325.tif 000004
【図３】
2010240325.tif 000005
【図４】
2010240325.tif 000006
【図５】
2010240325.tif 000007
【図６】
2010240325.tif 000008
【図７】
2010240325.tif 000009
【図８】
2010240325.tif 000010